(57)【要約】【課題】透過光明視野照明や入射光蛍光照明において顕微鏡を用いた試料の解析を改善すること、及び蛍光像における破壊的な放射を低減すること。【解決手段】顕微鏡において試料（１０）を照明する方法であって、試料（１０）は透過光明視野照明手段か入射光蛍光照明手段によって解析され、透過光明視野照明の光源として白色光ＬＥＤ（４）が使用され、入射光蛍光照明の間に透過光明視野照明の照明ビーム路における位置でシャッタ（６）がアクティブ化され、このシャッタ（６）が、透過光明視野照明の間に非アクティブ化される。【選択図】図１
2013029837.tif 000002
【特許請求の範囲】
【請求項１】
顕微鏡において透過光明視野照明手段か入射光蛍光照明手段によって試料（１０）を照明する方法であって、
透過光明視野照明の光源として白色光ＬＥＤ（４）が使用され、
前記入射光蛍光照明手段のアクティブ化に際して前記透過光明視野照明手段の照明ビーム路における位置でシャッタ（６）が拘束的にアクティブ化され、
このシャッタ（６）は、前記透過光明視野照明手段のアクティブ化に際して拘束的に非アクティブ化される、方法。
【請求項２】
前記シャッタ（６）が前記白色光ＬＥＤ（４）のすぐ上流の位置でアクティブ化されることを特徴とする請求項１に記載の方法。
【請求項３】
前記シャッタが、機械的な拘束接続を用いて自動的にアクティブ化され、あるいは非アクティブ化されることを特徴とする請求項１又は２に記載の方法。
【請求項４】
前記シャッタ（６）が、前記シャッタ（６）を自動的にアクティブ化し、あるいは非アクティブ化するモータ（２８）によって作動されることを特徴とする請求項１又は２に記載の方法。
【請求項５】
顕微鏡において試料（１０）を照明するための点灯モジュール（２５）であって、透過光明視野照明手段か入射光蛍光照明手段によって試料（１０）を解析することが可能であり、透過光明視野照明の光源として白色光ＬＥＤ（４）を有し、前記透過光明視野照明手段の照明ビーム路における位置で拘束的にアクティブ化、非アクティブ化されることが可能なように配置されたシャッタ（６）を有する、点灯モジュール。
【請求項６】
前記シャッタ（６）が前記白色光ＬＥＤ（４）のすぐ上流側に配置され得ることを特徴とする請求項５に記載の点灯モジュール。
【請求項７】
前記シャッタ（６）を作動するためのモータ（２８）が前記シャッタ（６）を拘束的にアクティブ化、非アクティブ化するために設けられていることを特徴とする請求項６に記載の点灯モジュール。
【請求項８】
透過光明視野照明手段か入射光蛍光照明手段を用いて照明される試料（１９）を顕微鏡において照明するために請求項５〜７のいずれか一項に記載の点灯モジュールの使用法であって、透過光明視野照明のための光源として白色光ＬＥＤ（４）が用いられ、前記入射光蛍光照明手段のアクティブ化に際して前記透過光明視野照明手段の照明ビーム路における位置でシャッタ（６）が拘束的にアクティブ化され、このシャッタ（６）が前記透過光明視野照明手段のアクティブ化に際して拘束的に非アクティブ化される、点灯モジュール使用法。
【請求項９】
透過光明視野照明か入射光蛍光照明において試料（１０）を解析するための顕微鏡システム（１）であって、透過光明視野照明手段（３）と入射光蛍光照明手段（２）とを有し、前記透過光明視野照明手段のための光源として白色光ＬＥＤ（４）が設けられ、前記透過光明視野照明手段（３）の照明ビーム路における位置でシャッタ（６）が配置されることで、このシャッタが前記入射光蛍光照明手段のアクティブ化に際して拘束的にアクティブ化可能であり、このシャッタが前記透過光明視野照明手段のアクティブ化に際して拘束的に非アクティブ化可能である、顕微鏡システム。
【請求項１０】
前記白色光ＬＥＤ（４）と前記シャッタ（６）が点灯モジュール（２５）内に配置され、前記点灯モジュール（２５）を顕微鏡に接続して、前記透過光明視野照明手段の照明ビーム路を前記顕微鏡につなぐことが可能であることを特徴とする請求項９に記載の顕微鏡システム。
【請求項１１】
前記透過光明視野照明手段（３）の点灯モジュール（２５）と前記入射光蛍光照明手段（２）とに制御装置（２７）を作動接続して、前記入射光蛍光照明手段（２）の作動に際して前記シャッタ（６）が拘束的にアクティブ化され、前記透過光明視野照明手段（３）の作動に際して前記シャッタ（６）が拘束的に非アクティブ化されることを特徴とする請求項１０に記載の顕微鏡システム。
【請求項１２】
前記制御装置（２７）が前記点灯モジュール（２５）に収容されたモータ（２８）に作動接続されて、モータ作動するシャッタ（６）を拘束的にアクティブ化し、あるいは非アクティブ化することを特徴とする請求項１１に記載の顕微鏡システム。
【発明の詳細な説明】
【技術分野】
【０００１】
本発明は、顕微鏡照明方法、この種の顕微鏡照明方法用の点灯（ライティング）モジュール、この種の点灯モジュールの使用法、並びに透過光明視野照明や入射光蛍光照明において試料を解析するための顕微鏡システムに関する。
【背景技術】
【０００２】
細胞診及び病理学では、染色試料が、一般に透過明視野照明で顕微鏡により解析される。顕微鏡により解析される試料の色は、診断の重要な基準である。例えば、位相コントラスト又は微分干渉コントラスト（ＤＩＣ）等のコントラスト方法による他の顕微鏡解析では、試料の色はあまり重要ではない。この種のコントラスト方法では、非染色試料が解析され、透過明視野顕微鏡では主に透明に見える。コントラスト方法が続けて使用されて、試料の位相特性を可視化する。
【０００３】
蛍光顕微鏡はさらなる既知の解析方法である。この文脈の中では、解析すべき試料は、励起フィルタとして知られるものを通る入射光照明ビーム路により照明される。励起光は、蛍光染色された物体を蛍光させ、発せられた蛍光が結果として生成される試料の顕微鏡像を決める。これらの顕微鏡方法は本質的に、比較的長い期間にわたって知られている。詳しくは入手可能な先行技術を参照のこと。
【０００４】
過去数十年では、ハロゲン灯が、例えば、透過光明視野照明のために、顕微鏡での照明手段として使用されてきた。ハロゲン灯が発する光は主に、黒体の連続スペクトルに対応する。一般に、熱保護フィルタも、ハロゲン灯を備えた照明モジュールに内蔵され、発せられる放射線の赤外線範囲を大幅に減衰する。吸収ガラス（２ｍｍ厚のＫＧ１）が、熱保護フィルタとして使用されることが多い。結果として生成される照明の連続スペクトルは、ユーザによる色評価を可能な限り確実にする。
【０００５】
特定の光源を用いる照明の場合、演色評価数（ＣＲＩ）として知られるものが色の評価に重要である。これは、等しい相関色温度の光源の演色品質を示すために使用することができる測光値であると理解される。色温度５０００Ｋまでは、対応する色温度の黒体から発せられる光が、演色品質を評価する基準として使用される。５０００Ｋを超える色温度では、日光のようなスペクトル分布が基準として使用される。例えば、それ自体が黒体の良好な近似である家庭のフィラメント電球の演色を計算する場合、２７００Ｋの温度を有する黒体のスペクトルが使用される。可視波長範囲の等しい（相関）色温度の黒体のスペクトルを完全に模倣する任意の光源が、演色評価数１００を達成する。ハロゲン灯もフィラメント電球と同様に、最高で１００の演色評価数を達成することができる。
【０００６】
顕微鏡法では、ハロゲン灯は次第に、既知の利点を有する発光ダイオード（以下ではＬＥＤ）で置き換えられつつある。これらの利点としては、低消費電力で高い光放射性及び長寿命が挙げられる。透過光照明の場合、白色ＬＥＤが主に使用される。白色標準ＬＥＤでは、青色、紫色、又はＵＶのＬＥＤが光輝性材料と組み合わせられる。青色ＬＥＤが一般に利用され、黄色の光輝性材料と組み合わせられる。複数の異なる光輝性材料（一般に赤、緑、及び青）を含むＵＶ ＬＥＤを使用することもできる。加法混色の原理によれば、白色光がこの主のＬＥＤにより生成される。このように製造される構成要素は良好な演色性を有し、演色評価数は７０〜９０である。しかし、白色ＬＥＤは連続スペクトルを発さない。青色ＬＥＤに基づく白色光ＬＥＤは、青色スペクトル範囲内（約４５０ｎｍ）で強い放射を有し、青緑（約５００ｎｍ）波長範囲で最小を有し、より高い波長でより広い放射範囲を有し、約５５０ｎｍで最大であり、約６５０ｎｍで大きく下がる。
【０００７】
ＬＥＤの種類に応じて、約４５０ｎｍでの最大強度に対する５００ｎｍでの最小強度の比率は通常、約１０〜２０％である。試料照明としてこの種の不連続スペクトルを使用する場合、色評価はより困難であり、ハロゲン灯による顕微鏡照明の場合で得られる経験値と異なる。
【０００８】
上記導入部で扱った特定の問題が蛍光顕微鏡で生じる。上述した透過光明視野照明の場合において、蛍光顕微鏡の可能性もあるならば、本発明者等は以下の作用を発見した。蛍光励起のための励起光の大部分が、試料を透過し、透過光照明軸に沿って透過光照明源に達する。白色光ＬＥＤがこれに関して用いられるならば、青色励起光は白色ＬＥＤ内の黄緑変換色素を励起させ、そのために黄緑光が透過光照明軸に沿って試料に達する。これは、蛍光像の破壊的な背景として知覚され、試料からの実際の蛍光にかなり重複する。この作用は、白色光ＬＥＤがオフに切り替えられる場合であっても生じる。
【発明の概要】
【発明が解決しようとする課題】
【０００９】
したがって、本発明の目的は、透過光明視野照明や入射光蛍光照明において顕微鏡を用いた試料の解析を改善すること、及び蛍光像における破壊的な放射を低減することである。
【課題を解決するための手段】
【００１０】
本発明は、顕微鏡によって試料を照明する方法に関し、請求項１にしたがって、試料を透過光明視野照明又は入射光蛍光照明において解析する。本発明は更に、この種の方法のための点灯モジュールに、この種の点灯モジュールの使用に、そして適切な顕微鏡システムに関している。
【００１１】
本発明の有利な構成や利点は夫々の従属請求項、以下の記載及び添付図面に見出すことができる。
【００１２】
本発明によれば、白色光ＬＥＤが透過光明視野照明用光源として使用され、入射光蛍光正面手段が作動される場合（アクティブ化される場合）に、シャッタが透過光明視野照明手段の照明ビーム路における位置で積極的に作動され、透過光明視野照明手段が作動される場合に、このシャッタが積極的に不作動とされることが提案される。
【００１３】
表現「透過光明視野照明の照明ビーム路内の位置でシャッタをアクティブ化する」は、そのスクリーニング機能を果たし、それ故に光の通過に対して完全に照明軸をブロックするために、透過光照明軸にシャッタを配置し、或いは透過光照明軸へシャッタを導入することを含むことを意図している。透過光照明軸上に常置されアクティブ化／非アクティブ化可能な電気機械式シャッタ或いは電気光学式シャッタもまた考えられる。「アクティブ化」は照明ビーム路を遮ることを意味し、「非アクティブ化」は配置されたシャッタの位置でできる限り妨げられない光の通過を意味する。シャッタは試料と白色光ＬＥＤの間で透過光照明軸上に配置されるか、配置可能である。
【００１４】
既知のシャッタは特に、スクリーン開口なしで旋回出し入れ可能なスクリーン、スクリーン開口を備える位置とスクリーン開口のない位置の間で特に電子的に切り換え可能な絞りスクリーン、最大透過率モードと最小透過率モードの間で切り換え可能な電気光学シャッタの他の形式（例えば透過ディスプレイ）を含む。
【００１５】
光源の素早いアクティブ化／非アクティブ化のためにシャッタを使用することが光源としてハロゲンランプを使用する、先の在来型透過光照明の場合には適切であり得た一方、ＬＥＤが非常に素早く切り換え可能なので、ＬＥＤが光源として用いられて以来ずっと、このためのシャッタの使用は一般にはもはや廃れたものになっていた。本発明において、この種のシャッタが、全く異なる目的のためではあるが、図示された証明構成の場合において再び照明システムに組み入れられる。
【００１６】
本発明によれば、上記シャッタは入射光蛍光照明中に透過光明視野照明の照明ビーム路における位置に積極的に導かれ、あるいはアクティブ化される。透過光照明のための光源、すなわち、白色光ＬＥＤがスイッチオフされる場合ですら、シャッタが透過光明視野照明の照明ビーム路における位置に導かれ、あるいはアクティブ化されることが強調される。
【００１７】
冒頭に述べたように、蛍光照明の（青色）励起光の大部分はその蛍光励起中に試料を通って、透過光照明軸に沿って白色光ＬＥＤに進み、そこで白色光ＬＥＤがオフに切り替えられている場合でも黄緑変換色素を励起して、黄緑光が生成されるので、透過光軸上で試料と白色光ＬＥＤの間に配置されているシャッタが、このメカニズムを完全に遮ることができ、このようにして白色光ＬＥＤにおける黄緑変換色素の励起を既に効果的に防ぐ。本発明によれば、この黄緑光の結果として生じる破壊的な背景がそれ故に完全に除去され得る。
【００１８】
白色光ＬＥＤのすぐ上流の位置でシャッタをアクティブ化することが目的に適っている。「すぐ上流」は、シャッタと白色光ＬＥＤの間に別の物が位置しないこと、及びシャッタが白色光ＬＥＤに最も適切に近接して配置され、このＬＥＤから出るビーム路又はこのＬＥＤに当たるビーム路をブロックすることを意味する意図である。シャッタのそのような接近した配置において、シャッタのサイズは白色光ＬＥＤのチップのサイズにほぼ減らすことが可能である。機械的なシャッタが小さなサイズ、即ち、例えば旋回されるべきスクリーンが小さいサイズであると、大きな塊を動かすことなく、シャッタを非常に素早く動かし、操作可能であるので、有利である。そして、このことは最終的に、メンテナンスフリーで素早くシャッタをアクティブ化／非アクティブ化することを可能とする。
【００１９】
シャッタのサイズは、白色光ＬＥＤのチップのサイズの少なくとも２倍のサイズであるように選択可能である。そしてシャッタはそのサイズにしたがって、白色光ＬＥＤから適切に隔たって透過光照明軸上に配置され、その結果、シャッタは透過光明視野照明の照明ビーム路を完全にブロックし、あるいは遮る。この種の配置において、入射光蛍光照明から伝播する励起光が透過光照明軸に沿って前方、透過光明視野照明の白色光ＬＥＤまで続くことがないことも保証される。
【００２０】
シャッタが機械的な拘束接続（ポジティブカップリング／強制連結）によって自動的にアクティブ化され、あるいは非アクティブ化されることが目的に適っている。そのアクティブ化に関して、入射光蛍光照明手段はシャッタに機械的に作用接続して、シャッタは自動的にアクティブ化される。逆に、透過光明視野手段がアクティブ化される場合、このシャッタは対応する機械的な拘束接続によって自動的に非アクティブ化される。
【００２１】
一般的にシャッタの拘束的／強制的な非アクティブ化は、入射光蛍光照明手段がスイッチオフされる場合に、代わりに起こり得る。
【００２２】
シャッタを拘束的にアクティブ化／非アクティブ化するモータによってシャッタを作動させることが目的に適っている。このために、例えば或る種のひしゃくやパドルがモータ軸に固定され得る。そしてモータが「シャッタアクティブ化」端位置と「シャッタ非アクティブ化」端位置の間で小さな回転移動を生じる。本発明に係る顕微鏡システムに関連して以下に記載するように、制御デバイスを介した制御が特に有利である。
【００２３】
本発明は更に、顕微鏡における試料の照明のための点灯モジュールに関する。試料は透過光明視野照明と入射光蛍光照明の両方で解析可能である。点灯モジュールは、透過光明視野照明のための光源として白色光ＬＥＤを、そして透過光明視野照明の照明ビーム路における位置でアクティブ化／非アクティブ化可能に配置されたシャッタを備える。通例のように、点灯モジュールは透過光明視野照明の照明ビーム路において結合すべく顕微鏡に接続可能である。
【００２４】
点灯モジュールの目的に適った構成に関して、本発明に係る方法に関連した上記記述に言及する。更なる構成もまた、以下に記載される本発明に係る顕微鏡に関連して記載される。本発明の特有の面（アスペクト）の構成の全てがまた、他の面の各々に適用されるものであるという事実に明示的に言及する。
【００２５】
本発明に係る点灯モジュールは特に本発明に係る上記方法のために用いることができる。
【００２６】
最後に、本発明は、透過光明視野照明や入射光蛍光照明で試料を解析する顕微鏡にも関し、対応する照明ユニットを切り替えることによって簡単にこの顕微鏡を用いて、少なくとも交互に２つのオプションをもたらすことが可能である。このために、顕微鏡は、透過光明視野照明手段と、入射光蛍光照明手段とを備える。白色光ＬＥＤが、透過光明視野照明手段のための光源として設けられる。入射光蛍光照明において試料を解析する間に透過光明視野照明の照明ビーム路における位置でシャッタを拘束的にアクティブ化することも可能である一方、透過光明視野照明において試料を解析する間にシャッタを拘束的に非アクティブ化することが可能である。
【００２７】
この種の顕微鏡の利点や可能な構成に関しては、一般的に上述の内容に言及される。特に、透過光照明手段の少なくとも部分が収容される点灯モジュールを設けることが有利である。この種の点灯モジュールは白色光ＬＥＤとシャッタを備えることが目的に適っている。透過光照明ビーム路を平行にするための照明光学系もまた任意に、点灯モジュール内に収容される。在来のように、点灯モジュールは透過光照明ビーム路内に入れるために顕微鏡に接続され得る。
【００２８】
上に述べられたように、また目的に適って点灯モジュール内に収容可能なモータを介してシャッタを操作することが目的に適っている。
【００２９】
制御装置を用いて、この種の顕微鏡システムにおいて本発明に係る方法を実施することが特に有利である。このために、制御装置は一方で入射光蛍光照明手段に接続され、他方で透過光明視野照明手段に、特に点灯モジュールに接続されている。このようにして、制御装置は、入射光蛍光照明手段のアクティブ化を記録することができ、それゆえに特にモータ作動されるシャッタをアクティブ化することができる。そして制御装置は、入射光蛍光照明手段の非アクティブ化の状態で、あるいは代わりに透過光明視野照明手段の白色光ＬＥＤのアクティブ化の状態でのみ、特にモータ作動されるシャッタを非アクティブ化することができる。述べられた制御機構は、上記電気光学シャッタのように、モータ作動されないシャッタの場合にも設けることが明らかに可能である。
【００３０】
上記特徴及び以下に説明される特徴が、本発明の範囲から逸脱せずに、それぞれ述べられた組み合わせのみならず、他の組み合わせ又は分離して使用することも可能なことは言うまでもない。
【００３１】
本発明は、実施形態として図面に概略的に示され、図面を参照して以下に詳細に説明される。
【図面の簡単な説明】
【００３２】
【図１】本発明に係る顕微鏡の構成を示す図である。
【発明を実施するための形態】
【００３３】
図１は、主構成要素と共に本発明に係る顕微鏡１の構成を示す概略図であり、顕微鏡システム１は、入射光蛍光照明と透過光明視野照明において試料１０を解析するように設計されており、照明のこれら２種類は通常、代わる代わる行われる。
【００３４】
入射光蛍光照明手段２は、以下の構成要素を備える：入射光照明光源１７、例えば、水銀灯、及び入射光照明軸１６に配置された蛍光フィルタブロック１２。蛍光フィルタブロック１２はスペクトル励起フィルタ１４を備え、入射光照明光の伝播方向において、スペクトル励起フィルタ１４の後にビームスプリッタ１３が続いている。励起フィルタ１４は、試料１０内の蛍光を励起させるのに適した１つ又は複数の波長範囲の選択に使用される。ビームスプリッタ１３は、フィルタ１４を通って試料１０に送られる励起光を偏向させる。ブロックフィルタ１５が蛍光フィルタブロック１２に更に設けられている。ブロックフィルタ１５は、試料から発せられた蛍光のみが看者に達し、したがって、励起光をブロックすることを保証する。
【００３５】
透過光明視野照明手段３は次の構成要素を備える；光源として白色光ＬＥＤ４、これに続く照明光の平行化のための照明レンズ５、そして最後に試料１０の下に配置された偏向ミラー８である。シャッタ６も透過光照明軸７上に配置可能であり、シャッタ６は白色光ＬＥＤ４と試料１０の間、特に白色光ＬＥＤ４と偏向ミラー８の間に配置可能であるが、特に白色光ＬＥＤのすぐ上流に配置されるのが特に有利で、言い換えれば、この場合、白色光ＬＥＤＤ４と照明レンズ５の間に配置されるのが特に有利である。図示の場合、シャッタは透過光照明軸７上で白色光ＬＥＤ４のすぐ上流に位置し、それゆえに白色光ＬＥＤからの光を完全に遮蔽する。図１に係る実施形態において、透過光明視野照明手段３の幾つかの構成要素はまた、点灯モジュール２５に収容される。これら構成要素は特に白色光ＬＥＤとシャッタ６を含む。電動シャッタの場合、点灯モジュール２５にモータ２８を収容することも適切である。図示の場合、照明レンズ５も点灯モジュールに収容される。点灯モジュール２５は、透過光照明ビーム路を顕微鏡１に連結するための適切な形状のインターフェイスを介して、顕微鏡１に接続可能である。
【００３６】
顕微鏡１のさらなる既知の従来構成要素は、顕微鏡台９と、顕微鏡台９の上に配置される試料１０とを含み、顕微鏡台９は、焦点を合わせるために、顕微鏡のスタンド２４に設けられた焦点合わせつまみ２０によりｚ方向、すなわち、光軸１８に平行に調整可能である。顕微鏡対物レンズ１１、顕微鏡レンズ管２３、及び接眼部１９が更に示され、最後にカメラ２２が接続されたカメラポート２１が示される。対物レンズ１１は、複数の異なる対物レンズを担持する対物レンズタレットの構成要素であってもよい。レンズ管２３は、内部に、看者及びカメラ２２に顕微鏡の撮像ビーム路を偏向させる役割を果たす偏向プリズム（明確にするために図示せず）を備える。
【００３７】
入射光蛍光照明手段２により生成される入射光照明ビーム路は、軸１６を有し、図１に示される矢印に沿って伝播する。上記経路はまず励起光フィルタ１４を通り、ビームスプリッタ１３により試料１０に向けて偏向される。蛍光は試料内で励起するが、励起光の大部分は実際に試料１０を透過し、透過光照明軸７に沿って透過光明視野照明手段３内に伝播する。偏向ミラー８を介して、励起光は透過光照明軸７に沿って点灯モジュール２５に達し、すなわち、特に照明レンズ５を介して白色色ＬＥＤ４に達する。
【００３８】
特に青色励起（例えばＦＩＴＣやＧＦＰのような蛍光色素）用フィルター系１２の場合において、この青色励起光は、白色光ＬＥＤ内の変換色素の励起に極めてよく適し、上記色素に黄緑範囲の光を発せさせる。この光（ここでも矢印で示される）は、透過光照明軸７に沿って偏向ミラー８に向かって伝播し、偏向ミラー８から試料１０に続く。黄緑光は、試料１０から対物レンズ１１を介して蛍光フィルタブロック１２に続き、ブロックフィルタ１５を透過して接眼部１９又はカメラ２２に達する。対策なしでは、この作用は、蛍光像内の黄緑背景としてかなり破滅的に目立つようになる。
【００３９】
アクティブ化可能なシャッタ６によって、白色光ＬＥＤを完全に遮蔽するために、即ち、青色励起での放射作用から白色光ＬＥＤを護るために、蛍光照明の間にシャッタ６をアクティブ化するならば、蛍光像内の破滅的な黄緑背景をなくすことが可能である。
【００４０】
このために、蛍光照明の場合、シャッタ６は透過光照明軸７上に配置される。理論上、制御のために制御装置２７が設けられ、蛍光入射光照明手段２に作動接続され、一般的には透過光明視野照明手段３に、特別には点灯モジュール２５に作動接続される。結果として、入射光蛍光照明手段２の光源１７のアクティブ化が検知可能である。それに関して、制御装置２７はモータ２８をアクティブ化し、モータはシャッタ６を動かす。モータ２８は透過光照明軸７上でシャッタ６を位置決めするのに用いられる信号を供給される。このようにして、白色光ＬＥＤ４は、試料１０を通過する青色励起光での放射作用から保護される。他方、シャッタ６の下流側の透過光照明軸に沿った透過光ビーム路の伝播は、白色光ＬＥＤ４がアクティブ化されても、明らかにもはや可能ではない。
【００４１】
制御装置２７は更に点灯モジュール２５に、特に白色光ＬＥＤ４若しくは特にこの白色光ＬＥＤ４のために設けられた制御システムに接続されている。結果として、白色光ＬＥＤ４のアクティブ化が検出可能である。例えば、白色光ＬＥＤ４がアクティブ化される場合、透過光照明ビーム路をフリーにするため、シャッタ６がモータ２８への対応する信号を介して透過光照明軸７から取り外され得る。他の選択において、白色光ＬＥＤ４がスイッチオンされ光源１７がスイッチオフされる場合にのみ、これは実行可能である。シャッタ６が透過光照明軸７から取り外されるならば、透過光照明ビーム路は照明レンズ５と偏向ミレー８を介して試料１０に伝播され得る。
【００４２】
シャッタ６が図１に示すように、白色光ＬＥＤ４のすぐ上流側に配置される場合、シャッタのサイズを限定することが可能で、すなわち、例えばひしゃく形状スクリーンのサイズを白色光ＬＥＤ４上の発光チップのサイズか、その２倍、特に少なくとも１．１倍から１．５倍のサイズに限定することが可能である。それ故に、これによって、シャッタ有効面を非常に小さなものとすることができ、したがってモータ２８によって容易に操作可能である。代替的に、シャッタ６とモータ２８の構成の代わりに、例えば制御装置２７によって直接アクティブ化される電子光学式の透過ディスプレイを設けることができる。このディスプレイ上に、透過光照明ビーム路の妨げられない進行のための対応開口が「シャッタ非アクティブ化」機能においてフリーにされ得る一方、この区域は「シャッタアクティブ化」機能において不透過にされる。
【符号の説明】
【００４３】
１  顕微鏡
２  入射光蛍光照明手段
３  透過光明視野照明手段
４  白色光ＬＥＤ
５  照明光学系
６  シャッタ
７  透過光照明軸
８  偏向ミラー
９  顕微鏡台
１０  試料
１１  対物レンズ
１２  蛍光フィルタブロック
１３  ビームスプリッタ
１４  励起フィルタ
１５  ブロックフィルタ
１６  入射光照明軸
１７  入射光照明光源
１８  光軸
１９  接眼部
２０  焦点合わせつまみ
２１  カメラポート
２２  カメラ
２３  レンズ管
２４  スタンド
２５  点灯モジュール
２７  制御装置
２８  モータ
【図１】
2013029837.tif 000003
【外国語明細書】
2013029837000001.pdf
2013029837000002.pdf
2013029837000003.pdf
2013029837000004.pdf